(57)【特許請求の範囲】
【請求項１】
靴アッパー部（２）と、該靴アッパー部（２）に接合されたソール（３）とを備える特にスポーツ靴である靴（１）であって、前記ソール（３）は、上ソール部材（４）と下ソール部材（５）とを含み、前記上ソール部材（４）は、当該靴（１）が本来の目的で使用される際に靴（１）の着用者の足底を受ける表面（６）を有し、また、少なくとも１つのバネ部材（７）が作動的に配置されており、該バネ部材は、靴（１）の着用者の体重によって前記上ソール部材（４）が前記下ソール部材（５）の上に載るように、また当該靴（１）が使用されていないときには、該バネ部材（７）の力によって前記上ソール部材（４）の少なくとも一部が前記下ソール部材（５）から持ち上げられるように、構成および配置されており、
当該靴は、
前記バネ部材（７）が、弾性材料のストリップとして構成されており、
前記弾性材料のストリップ（７）は、その一方の端部（１２）において前記靴アッパー部（２）に固定され、そのもう一方の端部（１３）において前記上ソール部材（４）に固定されているか、または、
前記弾性材料のストリップ（７）は、その両方の端部において前記靴アッパー部（２）に固定され、前記上ソール部材（４）を囲むように係合している、ことを特徴とする靴。
【請求項２】
前記上ソール部材（４）は中敷であることを特徴とする、請求項１に記載の靴。
【請求項３】
前記下ソール部材（５）はミッドソールであり、その下側にアウトソールが配置されていることを特徴とする、請求項１または２に記載の靴。
【請求項４】
前記バネ部材（７）は、ゴムバンドとして構成されていることを特徴とする、請求項１ないし３のいずれか１つに記載の靴。
【請求項５】
前記弾性材料のストリップ（７）は、前記上ソール部材（４）の踵領域（１４）に配置されていることを特徴とする、請求項１ないし４のいずれか１つに記載の靴。
【請求項６】
前記上ソール部材（４）は、そのつま先領域（１５）に位置する水平枢軸（１６）の周りに枢動可能に配置されていることを特徴とする、請求項５に記載の靴。
【請求項７】
当該靴（１）が使用されていないときには、靴（１）が本来の目的で使用されるときに前記上ソール部材（４）と前記下ソール部材（５）との間に提供される接触領域の少なくとも９０％から、前記上ソール部材（４）が持ち上げられることを特徴とする、請求項１ないし６のいずれか１つに記載の靴。
【請求項８】
当該靴（１）が使用されていないときに、前記上ソール部材（４）の一部のみが前記下ソール部材（５）から持ち上げられることを特徴とする、請求項１ないし６のいずれか１つに記載の靴。
【請求項９】
当該靴（１）が使用されていないときに、前記上ソール部材（４）のストリップ状部分（１７）が前記下ソール部材（５）から持ち上げられることを特徴とする、請求項８に記載の靴。
【請求項１０】
当該靴の平面視において、前記ストリップ状部分（１７）は、略矩形形状を有することを特徴とする、請求項９に記載の靴。
【請求項１１】
前記ストリップ状部分（１７）は、踵領域（１４）における当該靴（１）の幅（Ｂ）の４０％〜８０％の間の幅（ＢＳ）を有することを特徴とする、請求項１０に記載の靴。
【請求項１２】
前記ストリップ状部分（１７）は、当該靴（１）の長さ（Ｌ）の５０％〜９０％の間の長さ（ＬＳ）を有することを特徴とする、請求項１０または１１に記載の靴。
【請求項１３】
サッカーシューズであることを特徴とする、請求項１ないし１２のいずれか１つに記載の靴。
【発明の詳細な説明】
【技術分野】
【０００１】
本発明は、靴アッパー部と、その靴アッパー部に接合されたソールとを備える靴、特にスポーツ靴に関するものであり、ソールは、上ソール部材と下ソール部材とを含み、上ソール部材は、靴が本来の目的で使用される際に靴の着用者の足底を受ける表面を有し、また、上ソール部材と下ソール部材との間には、少なくとも１つのバネ部材が作動的に配置されて、該バネ部材は、靴の着用者の体重によって上ソール部材が下ソール部材の上に載るように、また靴が使用されていないときには、バネ部材の力によって上ソール部材の少なくとも一部が下ソール部材から持ち上げられるように、構成および配置されている。
【背景技術】
【０００２】
一般的なタイプの靴は広く知られており、例えば、サッカーシューズとして使用される。限定されないが、特にサッカーの競技中に、水分が靴の中に入り込むことがよくあり、水は特に中敷とインソールまたはミッドソールとの間の領域に到達し得る。特にサッカーシューズでは、多くの場合、常に湿った状態または濡れた状態となって、通気が不十分であることから、アッパー底（すなわち、インソール）と中敷との間に細菌またはカビが発生する恐れがある。
【０００３】
上記タイプの靴は、特許文献１で知られている。同様のコンセプトは、特許文献２、特許文献３、特許文献４、および特許文献５に開示されている。
【先行技術文献】
【特許文献】
【０００４】
【特許文献１】独国特許第６２０９６３号
【特許文献２】米国特許第１６２３０９２号
【特許文献３】英国特許出願公開第２０４１７２１号
【特許文献４】中国実用新案第２０５７３１９号
【特許文献５】米国特許第６１３１３０９号
【発明の概要】
【発明が解決しようとする課題】
【０００５】
本発明の目的は、簡単な手段によって靴の乾燥が改善された形でなされるように、一般的なタイプの靴をさらに改良することにある。これによって、細菌またはカビがもう簡単に発生することはあり得ないようにする。このように、向上した乾燥効果を、低い経済的投資で実現可能とすることを目的とする。
【課題を解決するための手段】
【０００６】
本発明によるこの目的のソリューションは、上記バネ部材が、弾性材料のストリップとして構成されており、該弾性材料のストリップは、その一方の端部において靴アッパー部に固定され、そのもう一方の端部において上ソール部材に固定されているか、または弾性材料のストリップは、その両方の端部において靴アッパー部に固定され、上ソール部材を囲むように係合している、ことを特徴とする。
【０００７】
このように、提案されるバネ部材によって、脱いだ後の靴において、下ソール部材と上ソール部材との間に外気を供給するための開口が形成されることになり、これによって、乾燥プロセスが大いに促される。
【０００８】
上ソール部材は、好ましくは中敷である。下ソール部材は、好ましくはミッドソールであり、その下側にアウトソールが配置される。また、それは、インソールとすることもできる。
【０００９】
バネ部材は、ゴムバンドとして構成することができる。この場合、弾性材料のストリップは、その一方の端部において靴アッパー部に固定することができ、ストリップが配置される位置としては、靴の垂直範囲の上半分にある高さ位置が好ましい。弾性材料のストリップは、そのもう一方の端部において上ソール部材に固定することができる。しかし、弾性材料のストリップを、その両方の端部において靴アッパー部に固定し、上ソール部材を囲むように係合させることも可能である。弾性材料のストリップは、好ましくは、上ソール部材の踵領域に配置される。
【００１０】
上ソール部材は、靴内で、そのつま先領域に位置する水平枢軸の周りに枢動可能に配置することができる。
【００１１】
好ましくは、靴が使用されていないときには、靴が本来の目的で使用されるときに上ソール部材と下ソール部材との間に提供される接触領域の少なくとも９０％から、上ソール部材が持ち上げられる。
【００１２】
しかし、靴が使用されていないときに、上ソール部材の一部のみが下ソール部材から持ち上げられるようにすることもできる。この場合、靴が使用されていないときに、上ソール部材のストリップ状部分のみを下ソール部材から持ち上げるようにすることができる。このとき、靴の平面視において、ストリップ状部分は略矩形形状を有することができる。それは、踵領域における靴の幅の４０％〜８０％の間の幅を有することができる。また、ストリップ状部分は、靴の長さの５０％〜９０％の間の長さを有することができる。
【００１３】
提案される靴は、サッカーシューズであることが特に好ましい。
【発明の効果】
【００１４】
向上した乾燥効果を得るため、本発明の思想では、このように、特に中敷をバネ部材により付勢することで、靴を脱いだ後に中敷が自動的に持ち上がるようにしており、これによって、中敷とインソールとの間の領域が少なくとも部分的に露出される。この領域にある水分を、より良く蒸発させることができる。この場合、中敷は、バネ部材によって、アーチ形に上に膨らむようにすることができる。必要であれば、この効果を、中敷の一部のみに制限することもできる（つまり、靴を脱いだときに、中敷の一部である例えば舌状部分のみが、持ち上がるか、またはアーチ形に上に膨らむ）。効果的に、中敷の下側とアッパー底の双方の乾燥が、十分に簡単化された方法でなされる。
【００１５】
図面に、本発明の典型例となる実施形態を示している。
【図面の簡単な説明】
【００１６】
【図１】図１は、本発明の第１の実施形態によるスポーツ靴の側断面図であり、着用者により使用されているところである。
【図２】図２は、図１のスポーツ靴の側断面図であり、靴の着用者がそれを脱ごうとしているところである。
【図３】図３は、図１および２の靴の中敷の側面図であり、靴の着用者の体重がかかった状態の中敷を示している。
【図４】図４は、図３の中敷の平面図である。
【図５】図５は、図１および２の靴の中敷の側面図であり、この場合は、着用者の体重が取り除かれた状態の中敷を示している。
【図６】図６は、図５の中敷の平面図である。
【図７】図７は、本発明の第２の実施形態によるスポーツ靴の側断面図であり、着用者により使用されているところである。
【図８】図８は、図７のスポーツ靴の側断面図であり、靴の着用者がそれを脱ごうとしているところである。
【図９】図９は、図７および８の靴の中敷の側面図であり、靴の着用者の体重がかかった状態の中敷を示している。
【図１０】図１０は、図７および８の靴の中敷の側面図であり、この場合は、着用者の体重が取り除かれた状態の中敷を示している。
【図１１】図１１は、図７および８の靴の平面図である。
【図１２】図１２は、本発明の第３の実施形態によるスポーツ靴の側断面図であり、着用者により使用されているところである。
【図１３】図１３は、図１２のスポーツ靴の側断面図であり、靴の着用者がそれを脱ごうとしているところである。
【図１４】図１４は、図１２および１３の靴の中敷の側面図であり、靴の着用者の体重がかかった状態の中敷を示している。
【図１５】図１５は、図１２および１３の靴の中敷の側面図であり、この場合は、着用者の体重が取り除かれた状態の中敷を示している。
【図１６】図１６は、図１２および１３の靴の平面図である。
【発明を実施するための形態】
【００１７】
図１は、着用者に着用されているところの靴１を示しており、着用者の足を１８で示している。靴１は、靴アッパー部２と、この靴アッパー部２の下に固定されたソール３を備えている。ソールは、中敷の形の上ソール部材４と、下ソール部材５とを有し、下ソール部材は、広くは中敷を除くソール部分であり、すなわち特にはミッドソールであって、その下側にアウトソールが配置されている。
【００１８】
中敷、すなわち上ソール部材４は、靴１の使用中に着用者の足１８を受ける表面６を有している。
【００１９】
靴１が着用されているときには、中敷４は、着用者の体重による力で下ソール部材５に押し付けられて、図１に示すような状態となる。
【００２０】
上ソール部材４と下ソール部材５との間には、線バネ式クリップの形のバネ部材７が作動的に配置されている。この場合、バネ部材７は、靴が着用されているとき（図１を参照）の靴１の着用者の体重による力に起因して上ソール部材４が下ソール部材５の上に載るように、一方、靴が使用されていないとき（図２を参照）には、靴の使用中に上ソール部材と下ソール部材との間に提供される接触領域の大部分に渡って、上ソール部材４が持ち上げられるように、構成および配置されている。上ソール部材４は、具体的には、図２に示すように、バネ部材７によってアーチ形に上に膨らみ、これによって、上ソール部材と下ソール部材との間の領域に空気が入り込むことができ、この領域の水分をより良く蒸発させることができる。このように改善された空気の流入を、図２に矢印で示している。
【００２１】
この場合、バネ部材７は、図３〜６に示すように、３つの接点８、９、１０で中敷４に接続されており、これら３つの接点８、９、１０で、保持部材１１によって、線状バネ部材７を中敷４の下側に保持している。このようにして、中敷４は、使用中には、図３に示すように、その全体が下ソール部材５の上に載るように平坦に保持される一方、靴が使用されていないときには、図５に示すように、アーチ形に上に膨らむ。
【００２２】
バネ部材７は、本実施形態では２つのアーチ部を含んでいる（図５を参照）。しかし、アーチ部は１つのみとすることもでき、また、２つより多くのアーチ部とすることもできる。
【００２３】
図７〜１１に、提案される靴の別の実施形態を示している。中敷４は、靴の踵領域１４においてゴムバンドの形の２つのバネ部材７によって付勢されて、配置されている（図７を参照）。より具体的には、靴の両側にそれぞれゴムバンド７が１つずつ固定されており（これに関しては、図１１を参照）、実際に、一方の端部１２で靴アッパー部２に、もう一方の端部１３で中敷４に固定されている。靴のつま先領域１５では、中敷４は、水平枢軸１６の周りに中敷４が枢動可能であるように（枢軸を示す投影面に垂直に延びる矢印方向で示す）、靴内に配置されている。この枢動運動は、図９と図１０の組み合わせから明らかである。
【００２４】
従って、靴１を脱ぐと（図８を参照）、中敷４は、２つのバネ部材７のバネの力によって枢軸１６の周りに枢動して、図７および図９に示す位置から、図８および図１０に示す位置になる。これによって、空気がソール部材４と５の間の領域に再び入り込むことが可能となり（図８の矢印を参照）、乾燥が促される。
【００２５】
また、ゴムバンドの形のバネ部材７を１つのみ設けることもでき、その両端部は靴アッパー部２に固定され、そして中敷４の下側に係合することで、着用者の足による荷重がないときに中敷を図８に示す位置に引き上げる。
【００２６】
提案される靴のさらに別の実施形態を、図１２〜１６に示している。
【００２７】
本実施形態において、図７〜１１のソリューションとの違いは、バネ部材７によって中敷４の全体を持ち上げることができるように構成されているのではなく、それが、中敷４の一部、すなわちストリップ状部分１７のみとなっていることである。
【００２８】
ストリップ状部分１７は、踵領域１４における靴１の幅Ｂの一部に相当する幅ＢＳに渡って延在しており、例えば、幅Ｂの４０％〜８０％に相当する。また、この部分１７は、靴１の長さＬの一部に相当する長さＬＳを有し、例えば、長さＬの５０％〜９０％に相当する。
【００２９】
このようなことは、図７〜１１の実施形態に関して説明したような１つのバネ部材７または２つのバネ部材７（ストリップ１７の両側に１つずつ）を配置する場合について、当てはまる。
【符号の説明】
【００３０】
１    靴
２    靴アッパー部
３    ソール
４    上ソール部材（中敷）
５    下ソール部材（ミッドソールおよびアウトソール）
６    表面
７    バネ部材
８    接点
９    接点
１０    接点
１１    保持部材
１２    バネ部材の端部
１３    バネ部材の端部
１４    踵領域
１５    つま先領域
１６    枢軸
１７    ストリップ状部分
１８    足
ＢＳ    ストリップ状部分の幅
Ｂ    踵領域における靴の幅
ＬＳ    ストリップ状部分の長さ
Ｌ    靴の長さ
【図１】
0005944408.tif 000002
【図２】
0005944408.tif 000003
【図３】
0005944408.tif 000004
【図４】
0005944408.tif 000005
【図５】
0005944408.tif 000006
【図６】
0005944408.tif 000007
【図７】
0005944408.tif 000008
【図８】
0005944408.tif 000009
【図９】
0005944408.tif 000010
【図１０】
0005944408.tif 000011
【図１１】
0005944408.tif 000012
【図１２】
0005944408.tif 000013
【図１３】
0005944408.tif 000014
【図１４】
0005944408.tif 000015
【図１５】
0005944408.tif 000016
【図１６】
0005944408.tif 000017